【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
物体側から順に、正の屈折力を有する第１レンズ群と、負の屈折力を有する第２レンズ群と、正の屈折力を有する第３レンズ群とを備え、
広角端から望遠端への変倍時に、前記第１レンズ群と前記第２レンズ群との間隔及び前記第２レンズ群と前記第３レンズ群との間隔が変化する構成のズームレンズにおいて、
前記第３レンズ群は、この第３レンズ群中で最も大きな空気間隔を挟んで、物体側に位置して正の屈折力を有する前方レンズ群と、像側に位置して負の屈折力を有する後方レンズ群とを有し、
前記前方レンズ群は、開口絞りと、回折光学面とを有し、
前記回折光学面は、最大像高に至る主光線の入射角度が１０度以下であり、
前記開口絞りの像側に位置する凸レンズにおける物体側の面の曲率半径をＲとし、広角端におけるレンズ系全体の焦点距離をｆｗとしたとき、次式
０．３  ＜Ｒ／ｆｗ＜５．０
の条件を満足することを特徴とするズームレンズ。
【請求項２】
前記前方レンズ群中の空気と接しているいずれかのレンズ面に回折光学面を有し、
前記回折光学面を有するレンズ素子の厚さ（但し、接合レンズの場合は合成厚さ）をＬとし、前記第３レンズ群の焦点距離をｆ３としたとき、次式
０．０５＜Ｌ／ｆ３＜１．０
の条件を満足することを特徴とする請求項１記載のズームレンズ。
【請求項３】
前記回折光学面の有効径をＣとし、広角端におけるレンズ系全体の焦点距離をｆｗとしたとき、次式
０．１  ＜Ｃ／ｆｗ＜３．０
の条件を満足することを特徴とする請求項１または２に記載のズームレンズ。
【請求項４】
前記第３レンズ群において、前記前方レンズ群は接合正レンズを有し、その接合正レンズの最も像側に位置する面に回折光学面を有し、
前記回折光学面の回折格子の最小ピッチをＰとし、広角端におけるレンズ系全体の焦点距離をｆｗとしたとき、次式
０．００１＜Ｐ／ｆｗ＜０．０５
の条件を満足することを特徴とする請求項１〜３のいずれかに記載のズームレンズ。
【請求項５】
前記第１レンズ群は、接合レンズを有し、
前記第２レンズ群は、最も物体側の位置に、凸メニスカスレンズと両凹レンズとからなる接合凹レンズを有し、
前記第３レンズ群は、前記前方レンズ群中に、物体側から順に、両凸レンズ、接合正レンズ、凸メニスカスレンズを有し、
前記後方レンズ群中に、物体側から順に凹メニスカスレンズ、両凹レンズを有することを特徴とする請求項１〜４のいずれかに記載のズームレンズ。
【請求項６】
前記第２レンズ群を光軸とほぼ直交する方向に移動させることにより防振され、
防振時に移動させた前記第２レンズ群中の最大変位量をΔＳとし、広角端におけるレンズ系全体の焦点距離をｆｗとしたとき、次式
ΔＳ／ｆｗ＜０．１
の条件を満足することを特徴とする請求項１〜５のいずれかに記載のズームレンズ。
【請求項７】
前記第３レンズ群は、凸レンズと凹レンズで構成され前記回折光学面を有する接合レンズを有し、前記凸レンズと前記凹レンズのｄ線に対する屈折率差をΔＮとしたとき、次式
０．１５＜ΔＮ
を満足することを特徴とする請求項１〜６のいずれかに記載のズームレンズ。
【請求項８】
前記第３レンズ群の前記前方レンズ群の焦点距離をｆ３Ｆとし、前記後方レンズ群の焦点距離をｆ３Ｒとしたとき、次式
−０．１＜ｆ３Ｆ／ｆ３Ｒ＜−０．０５
を満足することを特徴とする請求項１〜７のいずれかに記載のズームレンズ。
【請求項９】
前記第２レンズ群の倍率は、広角端から望遠端への変倍時に、等倍（−１倍）を挟んで変化することを特徴とする請求項１〜８のいずれかに記載のズームレンズ。
【請求項１０】
前記第３レンズ群は、凸レンズと凹レンズで構成され最も像側の面に前記回折光学面を有する接合レンズを有することを特徴とする請求項１〜９のいずれかに記載のズームレンズ。
【請求項１１】
近距離物体の合焦は、前記第１レンズ群で行うことを特徴とする請求項１〜１０のいずれかに記載のズームレンズ。
【請求項１２】
近距離物体の合焦は、前記３レンズ群の全体または一部で行うことを特徴とする請求項１〜１０のいずれかに記載のズームレンズ。
【手続補正２】
【補正対象書類名】明細書
【補正対象項目名】０００９
【補正方法】変更
【補正の内容】
【０００９】
また、本発明に係るズームレンズは、第１レンズ群は、接合レンズを有し、第２レンズ群は、最も物体側の位置に、凸メニスカスレンズと両凹レンズとからなる接合凹レンズを有し、第３レンズ群は、前方レンズ群中に、物体側から順に、両凸レンズ、接合正レンズ、凸メニスカスレンズを有し、後方レンズ群中に、物体側から順に凹メニスカスレンズ、両凹レンズを有することが好ましい。
【手続補正３】
【補正対象書類名】明細書
【補正対象項目名】００１０
【補正方法】変更
【補正の内容】
【００１０】
なお、上記ズームレンズにおいて、前記第３レンズ群は、凸レンズと凹レンズで構成され前記回折光学面を有する接合レンズを有し、前記凸レンズと前記凹レンズのｄ線に対する屈折率差をΔＮとしたとき、式  ０．１５＜ΔＮ  を満足するのが好ましい。
この場合に、前記第３レンズ群の前記前方レンズ群の焦点距離をｆ３Ｆとし、前記後方レンズ群の焦点距離をｆ３Ｒとしたとき、式  −０．１＜ｆ３Ｆ／ｆ３Ｒ＜−０．０５  を満足するのが好ましい。
さらに、前記第２レンズ群の倍率は、広角端から望遠端への変倍時に、等倍（−１倍）を挟んで変化するのが好ましい。
さらに、前記第３レンズ群は、凸レンズと凹レンズで構成され最も像側の面に前記回折光学面を有する接合レンズを有するのが好ましい。
さらに、近距離物体の合焦は、前記第１レンズ群で行うようにしても、前記３レンズ群の全体または一部で行うようにしても良い。
また、本発明に係るズームレンズは、第２レンズ群を光軸とほぼ直交する方向に移動させることにより防振され、防振時に移動させた第２レンズ群中の最大変位量をΔＳとし、広角端におけるレンズ系全体の焦点距離をｆｗとしたとき、次式ΔＳ／ｆｗ＜０．１の条件を満足することが好ましい。
【手続補正４】
【補正対象書類名】明細書
【補正対象項目名】００６０
【補正方法】変更
【補正の内容】
【００６０】
（第１実施例）
以下、本発明の第１実施例について図１〜図４を用いて説明する。図１は、第１実施例に係るズームレンズのレンズ構成を示す。第１実施例に用いたズームレンズＺＬ１において、図１に示すように、第１レンズ群Ｇ１には、物体側から順に、物体側に凸面を向けた負メニスカスレンズＬ１と両凸レンズＬ２との貼り合わせからなる接合レンズを配置して、正の屈折力を有するレンズ群を構成している。また、第２レンズ群Ｇ２には、像側に凸面を向けた正メニスカスレンズＬ３と両凹レンズＬ４との貼り合わせからなる接合レンズ、両凹レンズＬ５を配置して、負の屈折力を有するレンズ群を構成している。また、第３レンズ群Ｇ３には、両凸レンズＬ６、開口絞りＳ、両凸レンズＬ７と像側の面が非球面状に形成された両凹レンズＬ８との貼り合わせからなる接合レンズ、物体側に凸面を向けた正メニスカスレンズＬ９、物体側に凸面を向けた負メニスカスレンズＬ１０と両凸レンズＬ１１との貼り合わせからなる接合レンズ、両凹レンズＬ１２を配置して、正の屈折力を有するレンズ群を構成している。
【手続補正５】
【補正対象書類名】明細書
【補正対象項目名】００６１
【補正方法】変更
【補正の内容】
【００６１】
なお、第３レンズ群は、物体側に位置して、上記の両凸レンズＬ６と開口絞りＳと両凸レンズＬ７と両凹レンズＬ８との貼り合わせからなる接合レンズと物体側に凸面を向けた正メニスカスレンズＬ９とを備え、正の屈折力を有する前方レンズ群Ｇ３Ｆ、及び、像側に位置して、上記の物体側に凸面を向けた負メニスカスレンズＬ１０と両凸レンズＬ１１との貼り合わせからなる接合レンズと両凹レンズＬ１２とを備え、負の屈折力を有する後方レンズ群Ｇ３Ｒを配置して構成されている。
【手続補正６】
【補正対象書類名】明細書
【補正対象項目名】００６９
【補正方法】変更
【補正の内容】
【００６９】
（第２実施例）
次に、本発明の第２実施例について図５〜図８を用いて説明する。図５は、第２実施例に係るズームレンズのレンズ構成を示す。第２実施例に用いたズームレンズＺＬ２において、図５に示すように、第１レンズ群Ｇ１には、物体側から順に、物体側に凸面を向けた負メニスカスレンズＬ１と両凸レンズＬ２との貼り合わせからなる接合レンズ、物体側に凸面を向けた負メニスカスレンズＬ３を配置して、正の屈折力を有するレンズ群を構成している。また、第２レンズ群Ｇ２には、像側に凸面を向けた正メニスカスレンズＬ４と両凹レンズＬ５との貼り合わせからなる接合レンズ、両凹レンズＬ６を配置して、負の屈折力を有するレンズ群を構成している。また、第３レンズ群Ｇ３には、両凸レンズＬ７、開口絞りＳ、両凸レンズＬ８と像側の面が非球面状に形成された両凹レンズＬ９との貼り合わせからなる接合レンズ、物体側に凸面を向けた正メニスカスレンズＬ１０、物体側に凸面を向けた負メニスカスレンズＬ１１と両凸レンズＬ１２との貼り合わせからなる接合レンズ、両凹レンズＬ１３を配置して、正の屈折力を有するレンズ群を構成している。
【手続補正７】
【補正対象書類名】明細書
【補正対象項目名】００７０
【補正方法】変更
【補正の内容】
【００７０】
なお、第３レンズ群は、物体側に位置して、上記の両凸レンズＬ７と開口絞りＳと両凸レンズＬ８と両凹レンズＬ９との貼り合わせからなる接合レンズと物体側に凸面を向けた正メニスカスレンズＬ１０とを備え、正の屈折力を有する前方レンズ群Ｇ３Ｆ、及び、像側に位置して、上記の物体側に凸面を向けた負メニスカスレンズＬ１１と両凸レンズＬ１２との貼り合わせからなる接合レンズと両凹レンズＬ１３とを備え、負の屈折力を有する後方レンズ群Ｇ３Ｒを配置して構成されている。
【手続補正８】
【補正対象書類名】明細書
【補正対象項目名】００７６
【補正方法】変更
【補正の内容】
【００７６】
（第３実施例）
続いて、本発明の第３実施例について図９〜図１２を用いて説明する。図９は、第３実施例に係るズームレンズのレンズ構成を示す。第３実施例に用いたズームレンズＺＬ３において、図９に示すように、第１レンズ群Ｇ１には、物体側から順に、物体側に凸面を向けた負メニスカスレンズＬ１と両凸レンズＬ２との貼り合わせからなる接合レンズを配置して、正の屈折力を有するレンズ群を構成している。また、第２レンズ群Ｇ２には、像側に凸面を向けた正メニスカスレンズＬ３と両凹レンズＬ４との貼り合わせからなる接合レンズ、両凹レンズＬ５を配置して、負の屈折力を有するレンズ群を構成している。また、第３レンズ群Ｇ３には、両凸レンズＬ６、開口絞りＳ、両凸レンズＬ７と像側の面が非球面状に形成された両凹レンズＬ８との貼り合わせからなる接合レンズ、物体側に凸面を向けた正メニスカスレンズＬ９、物体側に凸面を向けた負メニスカスレンズＬ１０と両凸レンズＬ１１との貼り合わせからなる接合レンズ、両凹レンズＬ１２を配置して、正の屈折力を有するレンズ群を構成している。
【手続補正９】
【補正対象書類名】明細書
【補正対象項目名】００７７
【補正方法】変更
【補正の内容】
【００７７】
なお、第３レンズ群は、物体側に位置して、上記の両凸レンズＬ６と開口絞りＳと両凸レンズＬ７と両凹レンズＬ８との貼り合わせからなる接合レンズと物体側に凸面を向けた正メニスカスレンズＬ９とを備え、正の屈折力を有する前方レンズ群Ｇ３Ｆ、及び、像側に位置して、上記の物体側に凸面を向けた負メニスカスレンズＬ１０と両凸レンズＬ１１との貼り合わせからなる接合レンズと両凹レンズＬ１２とを備え、負の屈折力を有する後方レンズ群Ｇ３Ｒを配置して構成されている。